(57)【要約】【課題】コンピュータ環境に用いられている記録再生ドライブ装置と、情報の編集などが容易なＰＣシステムにおいても、著作権保護が必要な情報が記録されている記録媒体の複製防止等のために、最適なシステム構成を提供する。【解決手段】主情報信号（ディジタル信号）と特定情報信号で誤り訂正符号を生成付加した後、特定情報信号のみを第二変調器で再処理して同じ場所に埋め込むことで、再生処理において、特定情報信号のみは第一復調器で復調されたままのデータではエラーとなり再生不能にし、主情報信号のセキュリティー効果を得る。また、特定情報信号を第二復調器で再生し、その結果を主情報信号の特定情報配置場所に戻す事で、主情報信号もエラー訂正処理が可能になり、特定情報信号を埋め込んだ事によるエラー増大対策ができ、併せて著作権保護に用いる暗号鍵などのセキュリティー能力向上を図る。【選択図】　図１
2004095121.tif 000002
【特許請求の範囲】
【請求項１】
ディジタル信号の主情報を暗号化する暗号化手段と、
データの一部が前記暗号化手段における暗号化のためのタイトル鍵として使用される特定情報を生成する手段と、
前記タイトル鍵を共通秘密鍵によって暗号化し、その暗号化タイトル鍵を含む前記特定情報の誤り訂正符号を生成して前記特定情報に付加する手段と、
前記暗号化された主情報に前記誤り訂正符号が付加された特定情報を置換または重畳処理によって埋め込む手段と、
前記埋め込み手段によって生成された記録情報をＥＣＣデータブロックに構成した後、前記記録情報に前記記録情報の誤り訂正内符号（ＰＩ）と誤り訂正外符号（ＰＯ）を生成付加したＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と
を有することを特徴とするディジタル情報信号の記録方法。
【請求項２】
前記誤り訂正外符号（ＰＯ）を各データブロックに分散配置された前記ＰＯ／ＰＩパリティ生成ブロックの内、前記主情報の行方向列は第一の変調器で変調し、前記特定情報の行方向列は第二の変調器で変調して、前記記録媒体に記録することを特徴とする請求項１記載のディジタル情報信号の記録方法。
【請求項３】
ディジタル信号の主情報をタイトル鍵に基づいて暗号化する暗号化手段と、
前記タイトル鍵を第１の暗号鍵に基づいて暗号化し、暗号化タイトル鍵を生成する手段と、
前記暗号化タイトル鍵を第２の暗号鍵に基づいて暗号化し、多重暗号化タイトル鍵を生成する手段と、
前記多重暗号化タイトル鍵に誤り訂正符号が付加された前記第２の暗号鍵を加えた暗号情報を作成する手段と、
前記暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と
を有することを特徴とするディジタル情報信号の記録方法。
【請求項４】
ディジタル信号の主情報をタイトル鍵に基づいて暗号化する暗号化手段と、
前記タイトル鍵を第１の暗号鍵に基づいて暗号化し、暗号化タイトル鍵を生成する手段と、
前記暗号化タイトル鍵を第２の暗号鍵に基づいて暗号化し、多重暗号化タイトル鍵を生成する手段と、
前記第２の暗号鍵を第１の暗号鍵に基づいて暗号化し、暗号化第２暗号鍵を生成する手段と、
前記多重暗号化タイトル鍵に誤り訂正符号が付加された前記暗号化第２暗号鍵を加えた暗号情報を作成する手段と、
前記暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と
を有することを特徴とするディジタル情報信号の記録方法。
【請求項５】
前記暗号化手段と、前記暗号化タイトル鍵を生成する手段はＡ／Ｖエンコーダ側に設けられることを特徴とする請求項３または請求項４記載のディジタル情報信号の記録方法。
【請求項６】
前記多重暗号化タイトル鍵を生成する手段と、前記暗号情報を作成する手段と、前記埋め込む手段と、ＰＯ／ＰＩパリティ生成ブロックを生成する手段と、前記記録媒体に記録する手段は記録ドライブ側に設けられていることを特徴とする請求項３記載のディジタル情報信号の記録方法。
【請求項７】
前記多重暗号化タイトル鍵を生成する手段と、前記暗号化第２暗号鍵を生成する手段、前記暗号情報を作成する手段と、前記埋め込む手段と、ＰＯ／ＰＩパリティ生成ブロックを生成する手段と、前記記録媒体に記録する手段は記録ドライブ側に設けられていることを特徴とする請求項４記載のディジタル情報信号の記録方法。
【請求項８】
前記第１の暗号鍵は前記記録媒体に予め記憶されるディスク鍵束をマスター鍵を用いて出力したものであることを特徴とする請求項３または請求項４記載のディジタル情報信号の記録方法。
【請求項９】
前記タイトル鍵はＡ／Ｖエンコーダ側に設けられた第１の乱数発生装置から出力され、前記第２の暗号鍵はドライブ装置側に設けられた第２の乱数発生装置から出力されることを特徴とする請求項請求項３または請求項４記載のディジタル情報信号の記録方法。
【請求項１０】
前記誤り訂正外符号（ＰＯ）を各データブロックに分散配置された前記ＰＯ／ＰＩパリティ生成ブロックの内、前記記録情報および多重暗号化タイトル鍵は第一の変調器で変調し、前記特定情報は第二の変調器で変調して前記記録媒体に記録することを特徴とする請求項３または請求項４記載のディジタル情報信号の記録方法。
【請求項１１】
請求項１記載の方法で前記記録媒体に記録された情報を再生する再生方法において、
前記記録媒体から読み出した情報の全データブロックを第１の復調器で復調し、前記特定情報行だけを第２の復調器で復調する復調手段と、
前記復調手段で復調された前記特定情報行の誤り訂正処理を行う第１の誤り訂正手段と、
前記誤り訂正手段によって訂正された誤り訂正ブロックを共通秘密鍵によって復号化し、それにより得られた特定情報を前記全データブロックの対応する特定情報の位置に置換または重畳処理によって埋め込む手段と、
前記特定情報が埋め込まれた前記全データブロックの誤り訂正処理を行う第２の誤り訂正手段と、
前記第２の誤り訂正手段で訂正された前記全データブロックから主情報を取り出し、前記誤り訂正ブロックに含まれる書き込み時にタイトル鍵とした暗号鍵を用いて複合化して再生する手段と
を有するすることを特徴とするディジタル情報信号の再生方法。
【請求項１２】
請求項３記載の方法で前記記録媒体に記録された情報を再生する再生方法において、
前記記録媒体から読み出した情報の内、全データブロックを第１の復調器で復調し、前記第２の暗号鍵を第２の復調器で復調する復調手段と、
前記復調手段で復調された前記第２の暗号鍵の誤り訂正処理を行う誤り訂正手段と、
前記全データブロックの所定位置に前記誤り訂正手段によって訂正された前記第２の暗号鍵を埋め込むことによりＥＣＣデータブロックを生成する手段と、
前記ＥＣＣデータブロックの誤り訂正処理を実行後、そのＥＣＣデータブロック内の前記多重暗号化タイトル鍵を前記第２の暗号鍵に基づいて暗号化タイトル鍵に戻す第１の復号化手段と、
前記第１の復号化手段からの前記暗号化タイトル鍵を前記第１の暗号鍵に基づいてタイトル鍵に戻す第２の復号化手段と、
前記第２の復号化手段からの前記タイトル鍵に基づいて前記ＥＣＣデータブロックの主情報を複合化する主情報複合化手段と、
を有するすることを特徴とするディジタル情報信号の再生方法。
【請求項１３】
請求項４記載の方法で前記記録媒体に記録された情報を再生する再生方法において、
前記記録媒体から読み出した情報の内、全データブロックを第１の復調器で復調し、前記暗号化第２暗号鍵を第２の復調器で復調する復調手段と、
前記復調手段で復調された前記暗号化第２暗号鍵の誤り訂正処理を行う誤り訂正手段と、
前記全データブロックの所定位置に前記誤り訂正手段によって訂正された前記暗号化第２暗号鍵を埋め込むことによりＥＣＣブロックデータを生成する手段と、前記暗号化第２暗号鍵を前記第１の暗号鍵に基づいて第２の暗号鍵に戻す第１の復号化手段と、
前記ＥＣＣデータブロックの誤り訂正処理を実行後、そのＥＣＣデータブロック内の前記多重暗号化タイトル鍵を前記第１の復号化手段からの前記第２の暗号鍵に基づいて暗号化タイトル鍵に戻す第２の復号化手段と、
前記第２の復号化手段からの前記暗号化タイトル鍵を前記第１の暗号鍵に基づいてタイトル鍵に戻す第３の復号化手段と、
前記第３の復号化手段からの前記タイトル鍵に基づいて前記ＥＣＣデータブロックの主情報を複合化する主情報複合化手段と、
を有するすることを特徴とするディジタル情報信号の再生方法。
【請求項１４】
ディジタル信号の主情報を暗号化する暗号化手段と、
データの一部が前記暗号化手段における暗号化のためのタイトル鍵として使用される特定情報を生成する手段と、
前記タイトル鍵を共通秘密鍵によって暗号化し、その暗号化タイトル鍵を含む前記特定情報の誤り訂正符号を生成して前記特定情報に付加する手段と、
前記暗号化された主情報に前記誤り訂正符号が付加された特定情報を置換または重畳処理によって埋め込む手段と、
前記埋め込み手段によって生成された記録情報をＥＣＣデータブロックに構成した後、前記記録情報に前記記録情報の誤り訂正内符号（ＰＩ）と誤り訂正外符号（ＰＯ）を生成付加したＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と、
前記記録媒体から読み出した情報の全データブロックを第１の復調器で復調し、前記特定情報行だけを第２の復調器で復調する復調手段と、
前記復調手段で復調された前記特定情報行の誤り訂正処理を行う誤り訂正手段と、
前記誤り訂正手段によって訂正された誤り訂正ブロックを共通秘密鍵によって復号化し、それにより得られた特定情報を前記全データブロックの対応する特定情報の位置に置換または重畳処理によって埋め込む手段と、
前記特定情報が埋め込まれた前記全データブロックの誤り訂正処理を行う誤り訂正手段と、
前記誤り訂正手段で訂正された前記全データブロックから主情報を取り出し、前記誤り訂正ブロックに含まれる書き込み時にタイトル鍵とした暗号鍵を用いて複合化して再生する手段と
を有するすることを特徴とするディジタル情報の記録再生装置。
【請求項１５】
ディジタル信号の主情報をタイトル鍵に基づいて暗号化する暗号化手段と、
前記タイトル鍵を第１の暗号鍵に基づいて暗号化し、暗号化タイトル鍵を生成する手段と、
前記暗号化タイトル鍵を第２の暗号鍵に基づいて暗号化し、多重暗号化タイトル鍵を生成する手段と、
前記多重暗号化タイトル鍵に誤り訂正符号が付加された前記第２の暗号鍵を加えた暗号情報を作成する手段と、
前記暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と、
前記記録媒体から読み出した情報の内、全データブロックを第１の復調器で復調し、前記第２の暗号鍵を第２の復調器で復調する復調手段と、
前記復調手段で復調された前記第２の暗号鍵の誤り訂正処理を行う誤り訂正手段と、
前記全データブロックの所定位置に前記誤り訂正手段によって訂正された前記第２の暗号鍵を埋め込むことによりＥＣＣデータブロックを生成する手段と、
前記ＥＣＣデータブロックの誤り訂正処理を実行後、そのＥＣＣデータブロック内の前記多重暗号化タイトル鍵を前記第２の暗号鍵に基づいて暗号化タイトル鍵に戻す第１の復号化手段と、
前記第１の復号化手段からの前記暗号化タイトル鍵を前記第１の暗号鍵に基づいてタイトル鍵に戻す第２の復号化手段と、
前記第２の復号化手段からの前記タイトル鍵に基づいて前記ＥＣＣデータブロックの主情報を複合化する主情報複合化手段と、
を有するすることを特徴とするディジタル情報の記録再生装置。
【請求項１６】
ディジタル信号の主情報をタイトル鍵に基づいて暗号化する暗号化手段と、
前記タイトル鍵を第１の暗号鍵に基づいて暗号化し、暗号化タイトル鍵を生成する手段と、
前記暗号化タイトル鍵を第２の暗号鍵に基づいて暗号化し、多重暗号化タイトル鍵を生成する手段と、
前記第２の暗号鍵を第１の暗号鍵に基づいて暗号化し、暗号化第２暗号鍵を生成する手段と、
前記多重暗号化タイトル鍵に誤り訂正符号が付加された前記暗号化第２暗号鍵を加えた暗号情報を作成する手段と、
前記暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と、
前記記録媒体から読み出した情報の内、全データブロックを第１の復調器で復調し、前記暗号化第２暗号鍵を第２の復調器で復調する復調手段と、
前記復調手段で復調された前記暗号化第２暗号鍵の誤り訂正処理を行う誤り訂正手段と、
前記全データブロックの所定位置に前記誤り訂正手段によって訂正された前記暗号化第２暗号鍵を埋め込むことによりＥＣＣブロックデータを生成する手段と、前記暗号化第２暗号鍵を前記第１の暗号鍵に基づいて第２の暗号鍵に戻す第１の復号化手段と、
前記ＥＣＣデータブロックの誤り訂正処理を実行後、そのＥＣＣデータブロック内の前記多重暗号化タイトル鍵を前記第１の復号化手段からの前記第２の暗号鍵に基づいて暗号化タイトル鍵に戻す第２の復号化手段と、
前記第２の復号化手段からの前記暗号化タイトル鍵を前記第１の暗号鍵に基づいてタイトル鍵に戻す第３の復号化手段と、
前記第３の復号化手段からの前記タイトル鍵に基づいて前記ＥＣＣデータブロックの主情報を複合化する主情報複合化手段と、
を有するすることを特徴とするディジタル情報の記録再生装置。
【請求項１７】
タイトル鍵に基づいて暗号化されたディジタル信号の主情報と、前記タイトル鍵を第１の暗号鍵に基づいて暗号化された暗号化タイトル鍵をエンコーダから受信する手段と、
前記暗号化タイトル鍵を第２の暗号鍵に基づいて暗号化し、多重暗号化タイトル鍵を生成する手段と、
前記多重暗号化タイトル鍵に誤り訂正符号が付加された前記第２の暗号鍵を加えた暗号情報を作成する手段と、
暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と、
前記記録媒体から読み出した情報の内、全データブロックを第１の復調器で復調し、前記第２の暗号鍵を第２の復調器で復調する復調手段と、
前記復調手段で復調された前記第２の暗号鍵の誤り訂正処理を行う誤り訂正手段と、
前記全データブロックの所定位置に前記誤り訂正手段によって訂正された前記第２の暗号鍵を埋め込むことによりＥＣＣデータブロックを生成する手段と、
前記ＥＣＣデータブロックの誤り訂正処理を実行後、そのＥＣＣデータブロック内の前記多重暗号化タイトル鍵を前記第２の暗号鍵に基づいて暗号化タイトル鍵に戻す復号化手段とを有し、
前記ＥＣＣデータブロックおよび前記暗号化タイトル鍵を前記エンコーダに出力して再生することを特徴とするディジタル情報の記録再生装置。
【請求項１８】
タイトル鍵に基づいて暗号化されたディジタル信号の主情報と、前記タイトル鍵を第１の暗号鍵に基づいて暗号化された暗号化タイトル鍵をエンコーダから受信する手段と、
前記暗号化タイトル鍵を第２の暗号鍵に基づいて暗号化し、多重暗号化タイトル鍵を生成する手段と、
前記第２の暗号鍵を第１の暗号鍵に基づいて暗号化し、暗号化第２暗号鍵を生成する手段と、
前記多重暗号化タイトル鍵に誤り訂正符号が付加された前記暗号化第２暗号鍵を加えた暗号情報を作成する手段と、
前記暗号化された主情報に前記暗号情報を置換または重畳処理によって埋め込む手段と、
前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、
前記ＰＯ／ＰＩパリティ生成ブロックの前記誤り訂正外符号（ＰＯ）を各データブロックに分散配置した後、同期信号を付加した記録信号を生成して記録媒体に記録する手段と、
前記記録媒体から読み出した情報の内、全データブロックを第１の復調器で復調し、前記暗号化第２暗号鍵を第２の復調器で復調する復調手段と、
前記復調手段で復調された前記暗号化第２暗号鍵の誤り訂正処理を行う誤り訂正手段と、
前記全データブロックの所定位置に前記誤り訂正手段によって訂正された前記暗号化第２暗号鍵を埋め込むことによりＥＣＣブロックデータを生成する手段と、前記暗号化第２暗号鍵を前記第１の暗号鍵に基づいて第２の暗号鍵に戻す第１の復号化手段と、
前記ＥＣＣデータブロックの誤り訂正処理を実行後、そのＥＣＣデータブロック内の前記多重暗号化タイトル鍵を前記第１の復号化手段からの前記第２の暗号鍵に基づいて暗号化タイトル鍵に戻す第２の復号化手段とを有し、
前記ＥＣＣデータブロックおよび前記暗号化タイトル鍵を前記エンコーダに出力して再生することを特徴とするディジタル情報の記録再生装置。
【請求項１９】
コンテンツ情報の暗号化のために用いられるタイトル鍵を第１の暗号鍵および第２の暗号鍵に基づいて多重暗号化タイトル鍵を生成する機能と、
前記第２の暗号鍵を第１の暗号鍵に基づいて暗号化し、暗号化第２暗号鍵を生成する機能と、
前記多重暗号化タイトル鍵に誤り訂正符号が付加された前記暗号化第２暗号鍵を加えた暗号情報を作成する機能と、
暗号化された前記コンテンツ情報に前記暗号情報を置換または重畳処理によって埋め込み、前記暗号情報が埋め込まれた記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する機能と、
前記ＰＯ／ＰＩパリティ生成ブロックの前記誤り訂正外符号（ＰＯ）を各データブロックに分散配置した後、同期信号を付加した記録信号を生成して記録媒体に記録する機能と
とによって作成されたコンピュータ読み取り可能な記録媒体。
【請求項２０】
コンテンツ情報の暗号化のために用いられるタイトル鍵を第１の暗号鍵および第２の暗号鍵に基づいて多重暗号化タイトル鍵を生成する機能と、
前記多重暗号化タイトル鍵に誤り訂正符号が付加された前記第２の暗号鍵を加えた暗号情報を作成する機能と、
暗号化された前記コンテンツ情報に前記暗号情報を置換または重畳処理によって埋め込み、前記暗号情報が埋め込まれた記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する機能と、
前記ＰＯ／ＰＩパリティ生成ブロックの前記誤り訂正外符号（ＰＯ）を各データブロックに分散配置した後、同期信号を付加した記録信号を生成して記録媒体に記録する機能と
とによって作成されたコンピュータ読み取り可能な記録媒体。
【請求項２１】
コンテンツ情報の暗号化のために用いられるタイトル鍵を第１の暗号鍵および第２の暗号鍵に基づいて多重暗号化タイトル鍵を生成する機能と、
前記第２の暗号鍵を第１の暗号鍵に基づいて暗号化し、暗号化第２暗号鍵を生成する機能と、
前記多重暗号化タイトル鍵に誤り訂正符号が付加された前記暗号化第２暗号鍵を加えた暗号情報を作成する機能と、
暗号化された前記コンテンツ情報に前記暗号情報を置換または重畳処理によって埋め込み、前記暗号情報が埋め込まれた記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する機能と、
前記ＰＯ／ＰＩパリティ生成ブロックの前記誤り訂正外符号（ＰＯ）を各データブロックに分散配置した後、同期信号を付加した記録信号を生成して機能と
とによって作成されたコンピュータ読み取り可能な記録媒体。
【発明の詳細な説明】
【０００１】
【発明の属する技術分野】
本発明は、著作権保護を目的としたコンテンツ暗号化処理を施したディジタル情報信号の記録および再生方法、ディジタル情報の記録再生装置および記録媒体に関する。
【０００２】
【従来の技術】
近年、ディジタル革命と称されるように、あらゆる情報がディジタル化され、伝送媒体或は記録媒体等の媒体を通して配信可能な技術が開発されている。これにより、多くの人が自由にデジタル情報を入手することができるようになった。そのような環境の中では、ディジタルオーディオ信号やディジタル映像信号、その他コンピュータで取り扱われる関連データのようなディジタル信号が、記録媒体に記録される。また上記したような信号が記録媒体から再生されたり、再生専用の情報媒体に情報が転写されたり、転写された情報が再生されたり、伝送ラインで情報が伝送されたりする等の、情報伝達・情報蓄積が行われる。
【０００３】
また、近年、映像・音響信号の大量な情報を記録できる記録媒体として、ＤＶＤ（バーサタイル・ディジタル・ディスク）が実現され、２時間以上の映画をＤＶＤに記録し、再生装置によりＤＶＤ記録情報を再生することで、家庭で自由に見ることが出来るようになった。
【０００４】
また、ディジタル信号の伝送環境は、ブロードバンドの時代になり、高速で大容量のディジタルデータの伝送及び相互通信が実現できるようになっている。
【０００５】
ＤＶＤは、読み出し（再生）専用のＤＶＤ−ＲＯＭと、一回の記録が出来るＤＶＤ−Ｒ、自由に記録再生が可能なＤＶＤ−ＲＷ、ＤＶＤ−ＲＡＭ等の記録媒体が存在する。
【０００６】
ＤＶＤ−ＲＯＭの応用規格では、ＤＶＤ−ｖｉｄｅｏ規格があり、１枚のディスクに、例えば映画情報が完全に記録される容量を有している。このようなＤＶＤ−ｖｉｄｅｏディスクの再生や、放送系でのディジタル放送信号を使って、ユーザは、自由にディジタル情報を入手できるようになった。このような環境では、入手したディジタル信号をハードディスクや上記のＤＶＤ−ＲＡＭ等の記録媒体にコピーし、再びＤＶＤ−ｖｉｄｅｏ規格に準拠したエンコーダでエンコードし記録すれば、元のディスクと同じディジタル信号がコピーされた別のディスクを作成できることになる。
【０００７】
この為、ＤＶＤ−ｖｉｄｅｏでは記録されているディジタル情報には、暗号化が施されている。暗号化技術を用いたコピープロテクト方法は、事前に暗号化された情報が記録されるＤＶＤ−ｖｉｄｅｏディスクあるいはＤＶＤ−ＲＯＭディスク上で有効に機能している。
【０００８】
このような情報伝送・蓄積処理においては、近年、著作権保護の取り扱いが重要になってきた。特に、著作権保護が必要な情報を通常の記録媒体に記録する場合、著作権者は一つの記録媒体のみに情報記録を許しているにも係わらず、複数の記録媒体に同じ情報を記録するような不正行為の発生が考えられ、そのような不正防止が不可欠になっている。
【０００９】
以下に、ＤＶＤ−ｖｉｄｅｏで用いられている、記録再生装置における著作権保護システムの従来技術について説明する。
【００１０】
図１１は、ＤＶＤ−ｖｉｄｅｏ信号の著作権保護システムにおける、記録媒体への信号処理工程のブロック図である。ここでは、ＤＶＤ−ｖｉｄｅｏディスクの原盤への信号記録システムとして説明する。
【００１１】
図１１において、ビデオ・オーディオ情報信号は、先ず、データ制御部ａ１でＭＰＥＧ方式等で圧縮処理され、更に再生制御信号などが付加されたディジタルデータストリームにフォーマット化される。フォーマット化されたディジタルデータは、データセクタ化部ａ２で２Ｋバイト単位のパケットデータにデータセクタ化され、セクタ番号であるＩＤ等がＩＤ付加部ａ３にて付加される。
【００１２】
次に、コンテンツ暗号化部ａ４でＩＤが付加されたディジタルデータが暗号化（データスクランブル）処理された後、ＥＤＣ符号化部ａ５で暗号化データに誤り検出符号ＥＤＣが付加される。その後、スクランブル処理部ａ６にて再生動作でのサーボ系を安定にさせる等の目的で、ＩＤ情報によって決められる初期値により発生されるランダム信号に基づきデータ部がデータスクランブルされる。
【００１３】
ここでのデータスクランブルは、上記した暗号化の為のデータスクランブルと異なり、公開された内容でデータをスクランブルさせる。その目的は、ディジタルデータがオール“０”のような場合、記録データは同じパターンの繰り返しとなる。
【００１４】
この場合、ディスク系では隣接トラックのクロストーク等によって、トラッキングサーボエラー信号が正確に検出できない等の不具合が発生する懸念があるためである。実行に際しては、Ｍ系列発生器の初期値がＩＤ値で決められる。Ｍ系列発生器からの信号をディジタルデータに掛け合わせて、データスクランブルが行なわれる。
【００１５】
これにより、データスクランブルされた記録信号が同じパターンの繰り返しとなるのを防いでいる。本明細書では、サーボ安定などに用いるデータスクランブルについては、この説明のみとして、別項で説明するデータスクランブルは、情報の著作権保護に用いる暗号化処理に使われるものを示す事にする。
【００１６】
上記の処理が施されたディジタルデータは、ＥＣＣブロック化部ａ７にて１６セクタ単位でエラー訂正処理の為、エラー訂正コード（ＥＣＣ）がブロック化され、次の誤り訂正符号化部ａ８で、ＰＩ（内符号）及びＰＯ（外符号）の誤り訂正符号が生成される。
【００１７】
このＰＯ（外符号）は、ＰＯインターリーブ部ａ９でインターリーブ処理により、各セクタに対して分散配置され、記録セクタが構成される。そして、記録セクタデータは、変調・同期付加部ａ１０で変調され、この変調された信号が光学ピックアップ装置ａ１２の駆動部であるドライバ部１１を介し、光学ピックアップ装置ａ１２を駆動してディスク原盤ａ１３にカッティング記録される。
【００１８】
ディスク原盤ａ１３は、ディスク製造工程処理で、ディスク製造用金型が作成され、インジェクションマシンなどを使って、大量のディスクに複製して、ビデオ信号が記録された、ＤＶＤ−ＲＯＭディスクとして市場に提供される。
【００１９】
このように、著作権保護を行うため、コンテンツはスクランブル処理による暗号化がなされている。そして再生システムでは暗号化コンテンツの復号のため、暗号化された鍵を復号しなければコンテンツ復号ができない仕組みにより、著作権を保護している。
【００２０】
一方、再生専用のＤＶＤシステムでは、ディスク原盤の再生での編集作業にて処理されるので、記録側は、著作権保護に関する管理はし易い。しかし、記録再生を行うことができるＤＶＤシステムでは、記録処理部が多くの装置で存在する。このために、コンテンツの違法コピーを行うことができる不正装置を製造して、違法コピーによるコンテンツ記録メディアを多数作成することが考えられる。
【００２１】
そこで、次に、記録再生装置での著作権保護システムの構成を示し、この著作権保護システム述べる。
【００２２】
図１２は、記録再生装置での著作権保護システムの構成を示す概念図である。
【００２３】
図１２において、記録側のブロックｅ１は乱数発生装置、ブロックｅ２はＡ／Ｖエンコーダ部（ＭＰＥＧ）、ブロックｅ３はスクランブル処理部、ブロックｅ４は暗号化部、ブロックｅ５はディスク鍵処理部である。また、再生側のブロックｅ１０はディスク鍵処理部、ブロックｅ１１は復号化部、ブロックｅ１２はデスクランブル処理部、ブロックｅ１３はＡ／Ｖデコーダ部（ＭＰＥＧ）である。
【００２４】
ビデオ／オーディオのコンテンツは、Ａ／Ｖエンコーダｅ２においてＭＰＥＧエンコードされ、スクランブル処理部ｅ３に入力される。スクランブル処理部ｅ３は乱数発生装置ｅ１で生成したタイトル鍵ＴＫを用いてＭＰＥＧエンコードを暗号化し、記録メディアのディスク上に記録する。一方、タイトル鍵ＴＫは暗号化部ｅ４に入力され、暗号化部ｅ４はディスク鍵ＤＫを用いてタイトル鍵ＴＫを暗号化し、暗号化タイトル鍵Ｅｎｃ−ＴＫとしてディスク上に記録する。この時のディスク鍵ＤＫは、再生専用装置におけるディスク鍵と同様に、ディスク鍵処理部ｅ５によって生成されるもので、記録メディアから読み出されたディスク鍵セットＤＫＢと、マスター鍵ＭＫを復号してディスク鍵ＤＫが生成される。
【００２５】
なお、記録メディアには、予め、多くのマスター鍵ＭＫによってディスク鍵を暗号化した鍵束を記録しておくことにより、ディスク鍵処理部ｅ５はマスター鍵ＭＫを用いて、ディスク鍵セットＤＫＢを復号抽出して、ディスク鍵ＤＫを生成することができる。
【００２６】
再生側のディスク鍵処理部ｅ１０は、マスター鍵ＭＫを用いて、記録メディアから読み出されたディスク鍵セットＤＫＢを復号して、ディスク鍵ＤＫを得る。
【００２７】
次に、複合化部ｅ１１は、このディスク鍵ＤＫを用いて、記録メディアから読み取った暗号化タイトル鍵Ｅｎｃ−ＴＫを復号してタイトル鍵ＴＫを得る。そして、デスクランブル処理部ｅ１２は、復号されたタイトル鍵ＴＫを用いて、記録メディアから読み取った暗号化コンテンツＥｎｃ−Ｃをデスクランブルする。こうして復号化されたコンテンツは、Ａ／Ｖデコーダ部ｅ１３によりデコードされ、オーディオ信号、ビデオ信号として出力される。
【００２８】
上述したような暗号化技術を用いたコピープロテクト方法は、事前に暗号化された情報が記録されるＤＶＤ−ＶｉｄｅｏディスクあるいはＤＶＤ−ＲＯＭディスクでは有効に機能している。しかし、ユーザが新規に情報を記録できるＤＶＤ−ＲＡＭ等の場合、次のような問題が生じる。
【００２９】
（１）一般ユーザが利用する記録装置では、強力で安価な暗号化装置の導入は難しい。
【００３０】
（２）暗号化時の暗号鍵の管理が難しい。
【００３１】
（３）情報記録装置側で、暗号化、復号化が行われるようになっている場合、コピープロテクトしたい情報のコピーも容易に行なわれてしまう可能性が高い。
【００３２】
（４）暗号化されたコンテンツや暗号化鍵を丸ごとコピーすれば、正常装置で再生出来る違反ディスクができる。（秘匿領域がない場合）。
【００３３】
（５）オーディオ信号を扱う場合、多数のファイル（楽曲）単位で扱う事になり、ファイル単位で管理する要求に対して、著作権保護能力を維持する事が難しい。
【００３４】
以上のことから、ディジタル情報信号のコピープロテクトは、従来の暗号化技術をそのまま有効に機能させることが難しい。暗号化された記録情報を再生する場合、再生処理で復号化処理が施されるが、復号化後のディジタル信号の取り扱いによっては、不法コピーの可能性は残ったままである。特に、暗号化された情報や暗号化鍵を丸ごとコピーする事で、大量の複製記録媒体を作成することができる可能性もある。
【００３５】
ＤＶＤのように、再生専用のＤＶＤ−ＲＯＭや、記録再生系のＤＶＤ−Ｒ／ＲＷ／ＲＡＭ等の、各種メディアが揃うと、記録媒体に記録されているディジタル信号が、元のオリジナル信号か、不法にコピーされたディジタル信号かの区別が難しくなる。
【００３６】
この問題は、他の記録媒体においても同様に発生する。この為、著作権保護の観点から見れば、情報信号の暗号化で、正しいシステムのみが復号化できるように構成する事と合わせて、再生側の入り口で、入力されたディジタル信号がオリジナルなディジタル信号か、不法コピーされた信号かを確認し、一般のユーザが処理できない領域で保護システムの一部を組み込むことによって、大幅に能力を向上させることが期待出来る。
【００３７】
図１３は、丸ごとコピーに対する、違法コピーの経路を図示した概念図である。
【００３８】
一般にコンピュータ環境で用いられる記録再生ドライブでは、ＰＣからの指示で情報を記録／再生する事が目的の為、記録メディアに記録されたコンテンツの内容（情報の内容や情報に対する制御コードなど）は判断されない事から、読み出されたデータはオープンになる。図１３において、再生ドライブで読み出された全てのデータを、記録ドライブで読み出された順に記録すれば、同じ記録済み記録媒体が複数作成できることになる。
【００３９】
即ち、コンテンツに暗号処理を施していても、暗号化の鍵情報も含めての丸ごとコピーを行われた場合、違法コピーが実現できる。
【００４０】
このような問題を解決する為、記録媒体などに個別の固有ＩＤをつけておき、記録時の暗号化処理はこの固有ＩＤも函数として利用する方法が提案されている。この方法であれば、丸ごとコピーしてもコピーした媒体の固有ＩＤが異なる為、違法コピーは防止できる。
【００４１】
しかしながら、この方法も使用者の権利を制限する事になりかねない。即ち、ある記録媒体に記録されているコンテンツを、傷などでデータエラーが多くなったとき、コピーすることで新品に再生が可能な事はデジタルシステムの最大の特徴である。
【００４２】
この場合、予め暗号鍵の部分を読み出しておき、別のバッファメモリ−に格納した後、記録媒体に入っているコンテンツを、正規の方法で別の媒体にコピーしたと仮定する。正規の方法であるから、コピー終了と同時に元の記録媒体のコンテンツは消去される。
【００４３】
但し、実際には処理は消去のために多くの時間を費やす事は商品性から出来ないので、結果として暗号化鍵部分のみを消去する事で、元の記録媒体のコンテンツは消去されたと見なす方法が取られる。このような方法では元の記録媒体にはコンテンツデータは記録されており、最初に正規の方法でコピー処理をする前に読み出しておいた暗号鍵を、元の記録媒体に書き込む事で（戻す事になる）、再生可能なコンテンツが記録された記録媒体ができることになる。
【００４４】
結果として、図１３のようなコピーが可能なシステムでは、違法コピーの防止を高めることが難しい。その対応策としては、通常の記録再生または伝送受信ルートによるデータ受け渡しにおいて、一部の領域に秘匿領域を設け、一部の暗号化用鍵情報等の特定情報を記録再生する構成を設けることで対応する事が考えられる。
【００４５】
秘匿性を持たせる為、再生処理の初段領域でのみ検出可能で、通常のデータ領域では特定情報が消滅するような方式が最適である。
【００４６】
暗号化に関する技術の一例が、特開平９−１２８８９０号公報に開示されている。ここに開示されている技術は、エラー訂正コードが付加された情報の訂正符号の一部を特定情報で置換し、記録または再生時エラー訂正処理前に訂正符号の一部領域に記録された特定情報を抽出し、不正コピー等の防止制御をする方式で、誤り訂正処理によって、埋め込まれた特定情報が消滅する事を利用している。
【００４７】
【発明が解決しようとする課題】
しかしながら、図１３に示す違法コピールート防止に対して、主情報の処理ルートではデータが破壊されず、且つ特殊な復調処理を通さないと特定情報信号が検出されないようにするには、主情報の一部データ領域に特定情報を加算や置換する方法での対応が必要となる。この方法を行うと、主情報は破壊される事になり、結果として主情報データブロックの訂正前エラー率の悪化となり、見かけ上では訂正能力を下げたことになる。このため、主情報の訂正能力に見合った量に、特定情報を制限することが必要となる。
【００４８】
そして、コンテンツの著作権保護システムに対して、アプリケーションの内容によっては、特定情報の量がある程度、必要な場合があり、主情報側に訂正能力を落とさずに、且つ主情報ルートではデータが消滅するような特定情報の埋め込み技術が求められていた。
【００４９】
そこで、本発明は上記課題に鑑みなされたもので、主情報の訂正前エラー率悪化を、特定情報信号埋め込みがされない状態と同等以上にするために、主情報信号と特定情報信号の関係を最適化することで、主情報信号の訂正能力低下を防止し、特定情報信号も秘匿性をもった記録再生を実現する、ディジタル情報信号の記録および再生方法、ディジタル情報の記録再生装置および記録媒体を提供することを目的とする。
【００５０】
【課題を解決するための手段】
上記目的を達成するために、本発明のディジタル情報信号の記録方法は、ディジタル信号の主情報を暗号化する暗号化手段と、データの一部が前記暗号化手段における暗号化のためのタイトル鍵として使用される特定情報を生成する手段と、前記タイトル鍵を共通秘密鍵によって暗号化し、その暗号化タイトル鍵を含む前記特定情報の誤り訂正符号を生成して前記特定情報に付加する手段と、前記暗号化された主情報に前記誤り訂正符号が付加された特定情報を置換または重畳処理によって埋め込む手段と、前記埋め込み手段によって生成された記録情報をＥＣＣデータブロックに構成した後、前記記録情報に前記記録情報の誤り訂正内符号（ＰＩ）と誤り訂正外符号（ＰＯ）を生成付加したＰＯ／ＰＩパリティ生成ブロックを生成する手段と、前記ＰＯ／ＰＩパリティ生成ブロックの前記誤り訂正外符号（ＰＯ）を各データブロックに分散配置した後、同期信号を付加した記録信号を生成して記録媒体に記録する手段とを有することを特徴とする。
【００５１】
また、本発明のディジタル情報信号の記録方法は、ディジタル信号の主情報をタイトル鍵に基づいて暗号化する暗号化手段と、前記タイトル鍵を第１の暗号鍵に基づいて暗号化し、暗号化タイトル鍵を生成する手段と、前記暗号化タイトル鍵を第２の暗号鍵に基づいて暗号化し、多重暗号化タイトル鍵を生成する手段と、前記多重暗号化タイトル鍵に誤り訂正符号が付加された前記第２の暗号鍵を加えた暗号情報を作成する手段と、前記暗号化された主情報に前記暗号情報を置換または重畳処理によって埋め込む手段と、前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、前記ＰＯ／ＰＩパリティ生成ブロックの前記誤り訂正外符号（ＰＯ）を各データブロックに分散配置した後、同期信号を付加した記録信号を生成して記録媒体に記録する手段とを有することを特徴とする。
【００５２】
また、本発明のディジタル情報信号の記録方法は、ディジタル信号の主情報をタイトル鍵に基づいて暗号化する暗号化手段と、前記タイトル鍵を第１の暗号鍵に基づいて暗号化し、暗号化タイトル鍵を生成する手段と、前記暗号化タイトル鍵を第２の暗号鍵に基づいて暗号化し、多重暗号化タイトル鍵を生成する手段と、前記第２の暗号鍵を第１の暗号鍵に基づいて暗号化し、暗号化第２暗号鍵を生成する手段と、前記多重暗号化タイトル鍵に誤り訂正符号が付加された前記暗号化第２暗号鍵を加えた暗号情報を作成する手段と、前記暗号化された主情報に前記暗号情報を置換または重畳処理によって埋め込む手段と、前記埋め込み手段から出力される記録情報をＥＣＣデータブロックに構成した後、前記記録情報に前記記録情報の誤り訂正内符号（ＰＩ）と誤り訂正外符号（ＰＯ）が生成付加されたＰＯ／ＰＩパリティ生成ブロックを生成する手段と、前記ＰＯ／ＰＩパリティ生成ブロックの前記誤り訂正外符号（ＰＯ）を各データブロックに分散配置した後、同期信号を付加した記録信号を生成して記録媒体に記録する手段とを有することを特徴とする。
【００５３】
本発明によれば、ディジタル情報信号の上に特定情報信号を埋め込み、ディジタル情報信号の一部データをエラーデータとして記録されるが、再生におけるディジタル情報信号の誤りデータ増加を、誤り訂正が付加された特定情報信号の再生結果をディジタル情報信号に戻す方法としているので、著作権保護能力を高めながら、ディジタル情報信号の訂正前エラー率悪化を、特定情報信号の埋め込みがされない状態と同等以上にすることができる。
【００５４】
【発明の実施の形態】
次に、本発明の実施の形態について図面を参照して説明する。
【００５５】
図１は、主情報信号と特定情報信号を記録および再生するためのシステムの構成を示すブロック図である。
【００５６】
図７は、図１で示す記録システムの主要ブロックで生成されるデータブロックのフローチャートである。
【００５７】
図８は、図１のシステムで最終的に構成された記録信号のブロック図である。
【００５８】
図１において、ブロックＲ１はＡ／Ｖエンコーダ部、ブロックＲ２はデータセクタ化部、ブロックＲ３は主情報スクランブル処理部（暗号化部）、ブロックＲ４は第一切換部、ブロックＲ５は１６データセクタ化部、ブロックＲ６はＥＣＣ生成付加部、ブロックＲ７は第二切換部、ブロックＲ８は第一変調器、ブロックＲ９は第二変調器、ブロックＲ１０は第三切換部、ブロックＲ１１は記録ドライブ、ブロックＲ１２はＣＰ−Ｄａｔａ生成部、ブロックＲ１３は乱数発生装置、ブロックＲ１４は演算処理部、そしてブロックＲ１５はＣＰ−Ｄａｔａ　ＰＯ生成部である。また、Ｍ１は記録媒体である。
【００５９】
図１および図７、図８を用いて図１の動作を説明する。ビデオ（Ｖ）信号とオーディオ（Ａ）信号から構成される主情報信号としてのビデオ／オーディオコンテンツ情報信号は、Ａ／Ｖエンコーダ部Ｒ１によって規格で決められた方式に添って圧縮処理やデータ配置処理が施され、データセクタ化部Ｒ２に送られる。
【００６０】
データセクタ化部Ｒ２では、Ａ／Ｖエンコーダ部Ｒ１からのデータを受信すると、所定のデータパケット毎にセクタ番号等のセクタ識別情報を付加したデータ構造を生成する。この時、一部のセクタは特定情報信号としてのＣＰ−Ｄａｔａを挿入する為、挿入場所を確保してセクタデータを構成しておく。
【００６１】
データセクタ化部Ｒ２でセクタ化されたデータブロックは、主情報スクランブル処理部（暗号化部）Ｒ３に送られ、暗号化が必要な主情報信号がスクランブル処理される。例えばＤＶＤ規格ではデータセクタの主情報信号（コンテンツ情報のメインデータ部分、但し一部のメインデータは除かれる）がデータスクランブル（暗号化）される。この時のスクランブル信号はランダムジェネレータである乱数発生装置Ｒ１３から発生され、主情報スクランブル処理部Ｒ３に供給される。この乱数発生装置Ｒ１３の初期値は、ＣＰ−Ｄａｔａ生成部Ｒ１２によって生成されたＣＰ−Ｄａｔａの一部がタイトル鍵ＴＫとして使われる。
【００６２】
また、このタイトル鍵ＴＫは演算処理部Ｒ１４に送られ、共通の暗号鍵（共通秘匿鍵）などを用いて演算処理部Ｒ１４にて函数が掛けられて、暗号化タイトル鍵Ｅｎｃ−ＴＫが作られる。演算処理部Ｒ１４にて作られた暗号化タイトル鍵Ｅｎｃ−ＴＫを有するＣＰ−ＤａｔａはＣＰ−Ｄａｔａ　ＰＯ生成部Ｒ１５に送られ、ここでＣＰ−Ｄａｔａに対する誤り訂正外符号ＰＯが生成付加されたＣＰ−Ｄａｔａ（図７のＤＢ１）が生成され、第一切換部Ｒ４に送られる。
【００６３】
第一切換部Ｒ４は、主情報スクランブル処理部Ｒ３から送られてくる主情報のセクタデータに、ＣＰ−Ｄａｔａ　ＰＯ生成部Ｒ１５から送られてくる誤り訂正外符号ＰＯが生成付加されたＣＰ−Ｄａｔａを挿入場所に埋め込み為、この２つのデータを選択切り換えして最終的なデータセクタ、即ちデータＩＤ、ＩＤ情報誤り訂正コードＩＥＣ、エラー検出コードＥＤＣ等を含む、１７２バイト×１２行からなる２Ｋバイトのデータセクタを出力するよう動作する。
【００６４】
第一切換部Ｒ４から出力されたデータセクタを構成したデータは１６データセクタ化部Ｒ５に入力されるが、ＤＶＤ規格では１６セクタをＥＣＣブロックとしているため、この１６データセクタ化部Ｒ５においてＥＣＣデータブロック（図７のＤＢ２）が生成される。
【００６５】
ＥＣＣデータブロック（ＤＢ２）はＣＰ−Ｄａｔａが挿入されたブロックを示しており、ＣＰ−Ｄａｔａが挿入されないブロックは、全て主情報信号で構成される。
【００６６】
１６データセクタ化部Ｒ５によってＥＣＣデータブロックが構成されたら、ＥＣＣ生成付加部Ｒ６で誤り訂正外符号ＰＯと誤り訂正内符号ＰＩが生成付加され、ＰＯ／ＰＩパリティー生成ブロック（図７のＤＢ３）が生成される。尚、ＣＰ−ＤａｔａはＰＩが付加されていない場合は、この時点で他のデータ行と同様に生成付加される。
【００６７】
ＥＣＣ生成付加部Ｒ６でＰＯおよびＰＩの誤り訂正符号が付加されたＥＣＣデータブロック（ＤＢ３）は第二切換部Ｒ７を通して変調され、第三切換部Ｒ１０を介して、記録ドライブＲ１１で記録媒体Ｍ１に記録される。この時、第二切換部Ｒ７はＥＣＣデータブロック（ＤＢ３）内のＣＰ−Ｄａｔａ、およびその行の誤り訂正内符号ＰＩを含めて第二変調器Ｒ９に送り、その他の主情報信号および誤り訂正外符号ＰＯ行は、第一変調器Ｒ８を通して変調するように、データ行を選択切り換えして変調器Ｒ８又はＲ９に出力する。
【００６８】
第一変調器Ｒ８と第二変調器Ｒ９で変調されたデータは、元の順に第三切換部Ｒ１０で整えられた後、以降の工程で記録信号ブロック（図７のＤＢ４）として構成され、更に同期信号が付加されて最終記録信号ブロック（図８のＤＢ５）として記録ドライブＲ１１に入力される。そして、この記録ドライブＲ１１によって特定情報信号を含んだ主情報信号が記録媒体Ｍ１に記録される。
【００６９】
次に、上述したシステムで記録された記録媒体から記録情報信号を再生するシステムについて説明する。
【００７０】
図２は、主情報信号と特定情報信号を再生するためのシステムの構成を示すブロック図である。
【００７１】
図９は図２で示す再生システムの主要ブロックで生成されるデータブロックのフローチャートである。
【００７２】
図２において、ブロックＰ１はチャネルビットリード部、ブロックＰ２は第一切換部、ブロックＰ３は第一復調器、ブロックＰ４は第二復調器、ブロックＰ５はＥＣＣブロック化部、ブロックＰ６はＥＣＣ訂正部、ブロックＰ７は第二切換部、ブロックＰ８は主情報デスクランブル処理部、ブロックＰ９はＡ／Ｖデコーダ部、ブロックＰ１０はＣＰ−Ｄａｔａ訂正部、そしてブロックＰ１１は演算処理部である。　また、Ｍ１は図１で情報信号が記録された記録媒体である。
【００７３】
図２および図９において、記録媒体Ｍ１から読み出された情報信号は、チャネルビットリード部Ｐ１にて記録媒体Ｍ１からの信号ストリームをチャネルビットに分離されてリードチャネルデータブロック（図９のＤＢ６）として読み出され、第一切換部Ｐ２によって第一復調器Ｐ３または第二復調器Ｐ４のいずれかに選択送信される。
【００７４】
この動作は、ＣＰ−Ｄａｔａが挿入されたＥＣＣデータブロックが読み出された場合であり、約束事或いは特別の領域に書かれたデータによって第一復調器Ｐ３または第二復調器Ｐ４の選択が行われる。即ち、通常の特定情報を持たないＥＣＣデータブロックは第一復調器Ｐ３にて復調され、特定情報を持つＥＣＣデータブロックは第二復調器Ｐ４にて復調される。復調器を通った信号はバイトシンボル単位のデータとなり、誤り訂正処理工程に送られる。
【００７５】
但し、ＣＰ−Ｄａｔａが挿入されたＥＣＣデータブロックは、ＣＰ−Ｄａｔａ部分はエラーデータとなっており、先ずＣＰ−Ｄａｔａ処理工程で先行処理が施される。即ち、第二復調器Ｐ４で復調された訂正前のＣＰ−Ｄａｔａは、自らの誤り訂正符号であるＣＰ−ＰＩやＣＰ−ＰＯを有しているため、記録媒体のディフェクトや読み取り回路などで発生するデータエラー信号を伴ったＣＰ−Ｄａｔａとなり、ＣＰ−Ｄａｔａ訂正部Ｐ１０において誤り訂正符号で訂正処理が施される。
【００７６】
ＣＰ−Ｄａｔａ訂正部Ｐ１０で訂正処理されたＣＰ−Ｄａｔａ誤り訂正ブロック（図９のＤＢ７）は、演算処理部Ｐ１１において共通秘密鍵などによって復号化されてＥＣＣブロック化部Ｐ５に出力され、第一復調器Ｐ３によって復調された主情報と共に、ＥＣＣブロック化部Ｐ５にて主情報のＥＣＣデータブロック（図９のＤＢ８）が生成される。
【００７７】
ＥＣＣブロック化部Ｐ５で生成されたＥＣＣデータブロック（ＤＢ８）は、ＣＰ−Ｄａｔａ関係が独自の誤り訂正処理されたデータである。ＣＰ−Ｄａｔａ関係は第一復調器Ｐ３で復調された場合は、全てエラーデータとなるため、第二復調器Ｐ４で復調してからＣＰ−Ｄａｔａ訂正部Ｐ１０に送り、このＣＰ−Ｄａｔａ訂正部Ｐ１０で訂正処理されたデータに置き換えることで、エラーデータが全て正しいデータとなる。
【００７８】
ＥＣＣ−ブロック化部Ｐ５で整えられたＥＣＣデータブロック（ＤＢ８）において、ＣＰ−Ｄａｔａ以外はエラーデータが含まれている可能性が高いため、ＥＣＣ訂正部Ｐ６にて誤り訂正処理を行う。
【００７９】
ＥＣＣ訂正部Ｐ６にて訂正処理されたデータは、第二切換部Ｐ７でＣＰ−Ｄａｔａ以外のデータのみ主情報デスクランブル処理部Ｐ８に送られ、データスクランブル処理で暗号化されたコンテンツデータ（主情報）は、ＣＰ−Ｄａｔａ信号の一部である暗号鍵を用いて、主情報デスクランブル処理部Ｐ８にてデスクランブル処理され、元のコンテンツデータに再生される。
【００８０】
そして、コンテンツデータはＡ／Ｖデコーダ部Ｐ９にて圧縮データは伸張処理等が施され、最終的なビデオ信号（Ｖ）およびオーディオ信号（Ａ）が再生される。
【００８１】
ここで、上述の図７乃至図９の各データブロックについて説明を加えておく。
【００８２】
図７において、ＣＰ−ＤａｔａブロックＤＢ１は、ＣＰ−Ｄａｔａ生成部Ｒ１２で生成された特定情報信号としてのＣＰ−Ｄａｔａに、ＣＰ−Ｄａｔａ　ＰＯ生成部Ｒ１５にて特定情報専用の誤り訂正符号ＣＰ−ＰＯを列方向のみ生成付加してＣＰ−Ｄａｔａブロックとして作られる。
【００８３】
ＥＣＣデータブロックＤＢ２は、スクランブル処理された主情報信号と、誤り訂正符号ＣＰ−ＰＯを含むＣＰ−ＤａｔａブロックＤＢ１とで構成された主情報信号のＥＣＣデータブロックとなっている。
【００８４】
ＰＯ／ＰＩパリティ−生成ブロックＤＢ３は、ＥＣＣデータブロックＤＢ２に、列方向に誤り訂正外符号ＰＯを、行方向に誤り訂正内符号ＰＩを生成付加し、誤り訂正外符号ＰＯおよび誤り訂正内符号ＰＩパリティーが生成付加された新たなＥＣＣデータブロックとしてのＰＯ／ＰＩパリティー生成ブロックとなっている。
【００８５】
記録信号ブロックＤＢ４は、主情報信号および誤り訂正外符号ＰＯとＣＰ−Ｄａｔａおよびその行の誤り訂正内符号ＰＩとが別の変調器で変調されて構成された記録信号のブロックとなっている。
【００８６】
図８において、記録信号ブロックＤＢ５は、第一変調器Ｒ８で変調された主情報および誤り訂正外符号ＰＯと、第二変調器Ｒ９で変調されたＣＰ−ＤｅｔａおよびＣＰ−Ｄａｔａ行の誤り訂正内符号ＰＩとで構成されたデータブロックに同期信号が付加されて最終データブロックとなっている。この信号が記録ドライブＲ１１の入力信号となり、記録媒体Ｍ１に記録される。
【００８７】
図９において、リードチャネルデータブロックＤＢ６は、記録媒体から読み出されて構成された、ＣＰ−Ｄａｔａを含むＥＣＣデータブロックとなっている。
【００８８】
ＣＰ−Ｄａｔａ誤り訂正ブロックＤＢ７は、リードチャネルデータブロックＤＢ６のＣＰ−Ｄａｔａの行が第二復調器Ｐ４で復調されることによって得られる、誤り訂正外符号ＰＯおよび誤り訂正内符号ＰＩが付加されたデータブロックとなっている。
【００８９】
主情報誤り訂正ブロックＤＢ８は、記録媒体から読み出されて構成された主情報とＣＰ−Ｄａｔａを含むデータブロック（リードチャネルデータブロックＤＢ６）が、第一復調器Ｐ３で復調されて生成されたデータブロックのＣＰ−Ｄａｔａと、リードチャネルデータブロックＤＢ６のＣＰ−Ｄａｔａが第二復調器Ｐ４で復調されて生成されたＣＰ−Ｄａｔａ誤り訂正ブロックＤＢ７とで置き換えられたデータブロックとなっている。
【００９０】
次に、上述した本発明による情報信号の記録および再生処理をパソコン等で対応する場合について、図を用いて説明する。
【００９１】
図３は、パソコン等を使用して主情報信号と特定情報信号を記録するためのシステムの構成を示すブロック図である。
【００９２】
図４は、図３で示すシステムで記録媒体に記録された情報信号を再生するためのシステムの構成を示すブロック図である。
【００９３】
尚、図３および図４に示す機能ブロックにおいて、図１および図２で示す機能ブロックと同じ機能ブロックに対しては同じ符号を使用し、その説明は省略する。
【００９４】
図３において、ブロックＲ５１は乱数発生装置、ブロックＲ５２は暗号化部、ブロックＲ５３はＤＫＢ（ディスク鍵束）処理部、ブロックＲ５４はバス認証部、ブロックＲ５５は乱数発生装置、ブロックＲ５６はＭＭ・ＰＯ生成付加部、ブロックＲ５７は暗号化部、ブロックＲ５８はＭＭ（特定情報信号）付加部である。
【００９５】
図４において、ブロックＰ５１は復号化部、ブロックＰ５２はバス認証部、ブロックＰ５３はＤＫＢ（ディスク鍵束）処理部、ブロックＰ５４は復号化部である。
【００９６】
図３において、記録システムＲ１００は基本的にＡ／Ｖエンコーダモジュール部Ｒ１０１と記録ドライブ部Ｒ１０２からなっており、Ａ／Ｖエンコーダモジュール部Ｒ１０１で暗号化処理されたコンテンツデータ（主情報信号）と暗号鍵を、記録再生ドライブ部Ｒ１０２に送って不正コピーが防止出来るようなデータ処理で記録媒体Ｍ１に記録する工程を示している。
【００９７】
ビデオ（Ｖ）およびオーディオ（Ａ）のコンテンツデータは、Ａ／Ｖエンコーダモジュール部Ｒ１０１のＡ／Ｖエンコーダ部Ｒ１に入力され、このＡ／Ｖエンコーダ部Ｒ１にて圧縮処理やデータ配置処理がされたビデオ（Ｖ）およびオーディオ（Ａ）コンテンツデータは、データセクタ部Ｒ２で特定単位のデータ量に纏められ、主情報スクランブル処理部Ｒ３に送られる。
【００９８】
コンテンツデータが主情報スクランブル処理部Ｒ３でスクランブルされるにあたり、暗号化に使われる暗号鍵は、乱数発生装置Ｒ５１で生成されたタイトル鍵ＴＫが使われる。このタイトル鍵ＴＫに基づき主情報スクランブル処理部Ｒ３でスクランブル処理された暗号化コンテンツデータＥｎｃ−Ｃｏｎｔｅｎｔｓは、記録ドライブＲ１０２の第一切換部Ｒ４に送られる。
【００９９】
一方、Ａ／Ｖエンコーダモジュール部Ｒ１０１の乱数発生装置Ｒ５１で生成されたタイトル鍵ＴＫは、暗号化部Ｒ５２で暗号鍵ＤＵＫによって暗号化され暗号化鍵Ｅｎｃ−ＴＫが生成される。ここで使った暗号鍵ＤＵＫは、記録媒体Ｍ１に予め記録されているディスク鍵束ＤＫＢを、デバイス毎または装置メーカ単位に供給されたマスター鍵ＭＫを用いて、ＤＫＢ処理部Ｒ５３で検出出力されたものである。
【０１００】
暗号化部Ｒ５２で生成された暗号化鍵Ｅｎｃ−ＴＫは、Ａ／Ｖエンコーダモジュール部Ｒ１０１から記録ドライブ部Ｒ１０２への伝送中に改竄されないようバス認証部Ｒ５４を通して、記録ドライブ部Ｒ１０２の暗号化部Ｒ５７に送られる。
【０１０１】
記録ドライブ部Ｒ１０２にも、乱数発生装置Ｒ５５が設けられており、この乱数発生装置Ｒ５５によって特定情報としての暗号鍵ＭＭが生成される。この暗号鍵ＭＭは暗号化部Ｒ５７に送られ、バス認証部Ｒ５４を通して同じ暗号化部Ｒ５７に入力された暗号化鍵Ｅｎｃ−ＴＫが、この暗号化部Ｒ５７で多重暗号化鍵（ＥｎｃＥｎｃ−ＴＫ：Ｅｎｃ２−ＴＫ）に多重暗号化される。
【０１０２】
一方、乱数発生装置Ｒ５５で生成された暗号鍵ＭＭは、ＭＭ・ＰＯ生成付加部Ｒ５６で誤り訂正外符号ＰＯが生成付加され、ＭＭ付加部Ｒ５８に送られる。
【０１０３】
ＭＭ付加部Ｒ５８は、暗号化部Ｒ５７から送られてきた多重暗号化鍵Ｅｎｃ２−ＴＫのデータブロックに、誤り訂正外符号ＰＯが付加された暗号鍵ＭＭ信号を加えて、データセクタ化された信号を生成する。
【０１０４】
ＭＭ付加部Ｒ５８で暗号鍵ＭＭ信号が加えられてデータセクタ化された信号は、第一切換部Ｒ４に送られる。この第一切換部Ｒ４にて、主情報スクランブル処理部Ｒ３から送られてきた暗号化コンテンツデータＥｎｃ−Ｃｏｎｔｅｎｔｓと、暗号鍵ＭＭ信号を含む多重暗号化鍵Ｅｎｃ２−ＴＫのデータブロックとが選択切り換えされ、１６データセクタ化部Ｒ５に送られる。そして、この１６データセクタ化部Ｒ５で１６セクタを集合して、誤り訂正ＥＣＣデータブロックを生成する。
【０１０５】
１６データセクタ化部Ｒ５で１６セクタ化された信号は、ＥＣＣ生成付加部Ｒ６で誤り訂正外符号ＰＯと誤り訂正内符号ＰＩが生成付加され、第二切換部Ｒ７に送られる。この第二切換部Ｒ７においては、暗号化コンテンツデータＥｎｃ−Ｃｏｎｔｅｎｔｓおよび多重暗号化鍵Ｅｎｃ２−ＴＫのデータブロックが第一変調器Ｒ８に送られ、暗号鍵ＭＭ信号が第二変調器Ｒ９に分けて送られる。
【０１０６】
そして、暗号化コンテンツデータＥｎｃ−Ｃｏｎｔｅｎｔｓおよび多重暗号化鍵Ｅｎｃ２−ＴＫのデータブロックは第一変調器Ｒ８で変調され、また暗号鍵ＭＭ信号は第二変調器Ｒ９で変調される。
【０１０７】
別々に変調された暗号化コンテンツデータＥｎｃ−Ｃｏｎｔｅｎｔｓおよび多重暗号化鍵Ｅｎｃ２−ＴＫのデータブロックと、暗号鍵ＭＭ信号は、元の順に第三切換部Ｒ１０で整えられた後、以降の工程で上述した記録信号ブロック（図７のＤＢ４）として構成され、更に同期信号が付加されて最終記録信号ブロック（図８のＤＢ５）として記録ドライブＲ１１に入力される。そして、この記録ドライブＲ１１によって特定情報信号を含んだ主情報信号が記録媒体Ｍ１に記録される。
【０１０８】
次に図４を用いて、このようにして暗号化されたコンテンツデータと暗号鍵が記録媒体に記録されている場合の、その再生方法について説明する。
【０１０９】
図４において、再生システムＰ１００は基本的に再生ドライブ部Ｐ１０１とＡ／Ｖデコーダモジュール部Ｐ１０２とからなっている。
【０１１０】
図４において、図３の記録システムにおいて記録媒体Ｍ１に記録された信号から、記録再生ドライブＰ１０１のチャネルビットリード部Ｐ１によってチャネルビット信号が読み出されて第一切換部Ｐ２に送くられる。この読み出されたチャネルビット信号は、第一切換部Ｐ２によって第一復調器Ｐ３と第二復調器Ｐ４に選択切り換えされて送くられる。
【０１１１】
第一切換部Ｐ２に入力されたチャネルビット信号の暗号化コンテンツデータＥｎｃ−Ｃｏｎｔｅｎｔｓおよび多重暗号化鍵Ｅｎｃ２−ＴＫのデータブロックは、第一復調器Ｐ３に送くられ、ここで復調された後、ＥＣＣブロック化部Ｐ５に送くられる。
【０１１２】
また、第一切換部Ｐ２に入力されたチャネルビット信号の暗号鍵ＭＭ信号は、第二復調器Ｐ４に送くられ、ここで復調された後、ＭＭ訂正処理部Ｐ１０に送くられる。ＭＭ訂正処理部Ｐ１０に送信された暗号鍵ＭＭの信号は、ここで暗号鍵ＭＭ独自の誤り訂正処理が施される。
【０１１３】
そして、ＭＭ訂正処理部Ｐ１０で誤り訂正処理された暗号鍵ＭＭ信号は、多重暗号化鍵Ｅｎｃ２−ＴＫセクタの自らの指定配置された位置に配置され、誤り訂正処理された暗号鍵ＭＭ信号を含む多重暗号化鍵（Ｅｎｃ２−ＴＫ）セクタが生成される。
【０１１４】
ＥＣＣブロック化部Ｐ５に送信された暗号化コンテンツデータＥｎｃ−Ｃｏｎｔｅｎｔｓおよび多重暗号化鍵Ｅｎｃ２−ＴＫのデータブロックと、独自の誤り訂正処理が施された暗号鍵ＭＭ信号を含む多重暗号化鍵（Ｅｎｃ２−ＴＫ）セクタは、ＥＣＣブロック化部Ｐ５で１６セクタが集合されＥＣＣブロックが生成される。
【０１１５】
ＥＣＣブロック化部Ｐ５で生成されたＥＣＣブロックは、ＥＣＣ訂正処理部Ｐ６で誤り訂正処理が施される。この誤り訂正処理が施された暗号化コンテンツデータＥｎｃ−Ｃｏｎｔｅｎｔｓは、第二切換部Ｐ７を介してＡ／Ｖデコーダモジュール部Ｐ１０２の主情報デスクランブル処理部Ｐ８に送信される。また、第二切換部Ｐ７から出力された誤り訂正処理された多重暗号化鍵Ｅｎｃ２−ＴＫは、復号化部Ｐ５１に送くられ、ＭＭ訂正処理部Ｐ１０から出力される暗号鍵ＭＭ信号により復号化され、暗号化鍵Ｅｎｃ−ＴＫに戻される。
【０１１６】
この暗号化鍵Ｅｎｃ−ＴＫは、Ａ／Ｖデコーダモジュール部Ｐ１０２に伝送する時、改竄されないように、バス認証部Ｐ５２を通してＡ／Ｖデコーダモジュール部Ｐ１０２に伝送される。
【０１１７】
Ａ／Ｖデコーダモジュール部Ｐ１０２では、バス認証部Ｐ５２を通して送信されてきた暗号化鍵Ｅｎｃ−ＴＫを復号化部Ｐ５４にて受信して、ここで復号鍵ＤＵＫを使って復号し、コンテンツ復号鍵ＴＫを復元する。ここで使われる復号鍵ＤＵＫは、記録処理で生成された方法と同じく、ＤＫＢ処理部Ｐ５３においてディスク鍵束ＤＫＢとマスター鍵ＭＫで検出出力されたものである。
【０１１８】
そして、再生ドライブ部Ｐ１０１から送信されてきた暗号化コンテンツデータＥｎｃ−Ｃｏｎｔｅｎｔｓは、主情報デスクランブル処理部Ｐ８でコンテンツ復号鍵ＴＫを用いてデスクランブル処理によって復号化され、Ａ／Ｖデコーダ部Ｐ９で最終的なビデオ／オーディオコンテンツ情報としてビデオ信号（Ｖ）およびオーディオ信号（Ａ）が再生される。
【０１１９】
ここで、図３および図４で示した記録および再生システムに関連して、他の実施形態の記録および再生方法について以下に説明する。
【０１２０】
図５は、図３で示した記録システムの記録ドライブ部Ｒ１０２の乱数発生装置Ｒ５５とＭＭ・ＰＯ生成付加部Ｒ５６との間のブロック構成を変えたものである。
【０１２１】
図５において、記録ドライブ部Ｒ１０２の破線で囲まれた部分Ａの、暗号化部Ｒ５９とＤＫＢ処理部Ｒ６０が図３のシステムに加えられた構成としている。この他のブロックは図３で示すブロック構成と同じなのでその説明は省略する。
【０１２２】
即ち、図５の記録システムでは、図に示すように、乱数発生装置Ｒ５５で生成された暗号鍵ＭＭをコンテンツ復号鍵ＴＫの暗号化で使用した復号鍵ＤＵＫを用いて暗号化し、暗号化鍵Ｅｎｃ−ＭＭとしてＭＭ・ＰＯ生成付加部Ｒ５６に送信する。そして、このＭＭ・ＰＯ生成付加部Ｒ５６で誤り訂正外符号ＰＯを生成付加した後、Ｅｎｃ−ＭＭ付加部Ｒ５８ａで多重暗号化鍵Ｅｎｃ２−ＴＫに加えてセクタデータを生成する構成としている。なお、復号鍵ＤＵＫの生成については、Ａ／Ｖエンコーダモジュール部Ｒ１０１のＤＫＢ処理部Ｒ５３と同じであるので、その説明は省略する。
【０１２３】
図６は、この図５で記録媒体Ｍ１に記録した記録情報を再生するためのシステムの構成を示すブロック図である。図６において、再生ドライブ部Ｐ１０２の破線で囲まれた部分Ｂのブロック、即ち、復号化部Ｐ５５とＤＫＢ処理部Ｐ５６とが新たに加えられた構成としている。この他のブロックについては図４で示すブロック構成と同じなので説明は省略する。
【０１２４】
図６において、記録媒体Ｍ１から読み出され、Ｅｎｃ−ＭＭ訂正処理部Ｐ１０ａで誤り訂正処理された暗号化鍵Ｅｎｃ−ＭＭは、ＥＣＣブロック化部Ｐ５に入力されると共に、新たに設けられた復号化部Ｐ５５に入力される。そして、この復号化部Ｐ５５でＤＫＢ処理部Ｐ５６から出力されるディスク固有鍵ＤＵＫを用いて暗号化鍵Ｅｎｃ−ＭＭが復号され、暗号鍵ＭＭとして出力されるように構成されている。
【０１２５】
復号化部Ｐ５５から出力された暗号鍵ＭＭは暗号化部Ｐ５１に入力されて、切換部Ｐ７から暗号化部Ｐ５１に入力されてきた多重暗号化鍵Ｅｎｃ２−ＴＫから暗号化鍵Ｅｎｃ−ＴＫに復号するために、この暗号鍵ＭＭが使われる。
【０１２６】
この図５および図６で示した構成を取ることによって、暗号鍵ＭＭも変調されるので暗号鍵ＭＭのセキュリティー能力を更に向上させることが出来る。
【０１２７】
上述の図１乃至図６で示した記録方式および再生方式により、記録媒体Ｍ１から読み出された特定情報信号を含んだ主情報信号は、図２の第一復調器Ｐ３で出力されたままのデータでは、不定となり秘匿性を持つ事になる。
【０１２８】
このため、図１４で示す丸ごとコピー処理の防止も可能となる。即ち、図１４は、先に図１３で述べた違法コピーのもう一つの経路を示し概念図であるが、図１３と異なるところは、誤り訂正処理前の復調データを記録側に送って、誤り訂正符号生成をせずに直接変調部に送って記録することである。
【０１２９】
一方、主情報信号は、特定情報信号部分も主情報信号の一部となっており、図２、図４、図６で示す再生処理においては特定情報信号自身で誤り訂正されたデータが置換される為、従来の主情報信号のみの訂正前エラー率よりエラーが少ない結果となって、主情報信号の訂正能力低下を防止できる。この結果本発明の目的である、主情報信号の訂正能力低下防止と特定情報信号の秘匿領域での記録再生が可能になる。
【０１３０】
図１０に、本発明の記録方法によって記録された特定情報信号が埋め込まれた物理セクタの構成を示す。
【０１３１】
図１０は、２つのフレームそれぞれは、３２ビットの同期ビットと１４５６ビットのデータブロックとで構成されている。この例では、左側フレームの第３行目のＳＹ２と第８行目のＳＹ３に、特定情報信号ＣＰ−Ｄａｔａが記録されている。また、右側フレームの第３行目のＳＹ５と第８行目のＳＹ６に、特定情報信号ＣＰ−Ｄａｔａが記録されている。
【０１３２】
尚、図３乃至図６の記録システムおよび再生システムの説明においては、個別システムとして説明したが、同一システム内にＡ／Ｖエンコーダモジュール部と、記録ドライブ部と、Ａ／Ｖデコーダモジュール部と、再生ドライブ部とを設けても良い事は勿論である。
【０１３３】
【発明の効果】
以上説明したように、本発明によれば主情報信号の上に特定情報信号を埋め込み、主情報信号の一部データをエラーデータとして記録されるが、再生時、誤り訂正符号が付加された特定情報信号の再生結果を主情報信号側に戻す事で、主情報信号の特定情報信号を埋め込んだ事によるエラー増大対策ができ、併せて著作権保護に用いる暗号鍵などのセキュリティ能力向上を図ることができる。
【図面の簡単な説明】
【図１】主情報信号と特定情報信号を記録するためのシステムの構成を示すブロック図。
【図２】主情報信号と特定情報信号を再生するためのシステムの構成を示すブロック図。
【図３】パソコン等を使用して主情報信号と特定情報信号を記録するためのシステムの構成を示すブロック図。
【図４】図３で示すシステムで記録媒体に記録された情報信号を再生するためのシステムの構成を示すブロック図。
【図５】パソコン等を使用して主情報信号と特定情報信号を記録するためのシステムの構成を示すブロック図。
【図６】図５で示すシステムで記録媒体に記録された情報信号を再生するためのシステムの構成を示すブロック図。
【図７】図１で示す記録システムの主要ブロックで生成されるデータブロックのフローチャート。
【図８】記録システムで最終的に構成された記録信号のデータブロック図。
【図９】図２で示す再生システムの主要ブロックで生成されるデータブロックのフローチャート。
【図１０】本発明の特定情報信号ＣＰ−Ｄａｔａが埋めこまれたＥＣＣブロックの詳細な物理セクタの構成図。
【図１１】ＤＶＤ−ｖｉｄｅｏ信号の著作権保護システムにおける、記録媒体への信号処理工程のブロック図。
【図１２】記録再生装置での著作権保護システムの構成を示す概念図。
【図１３】丸ごとコピーに対する、違法コピーの経路を図示した概念図。
【図１４】丸ごとコピーに対する、違法コピーの経路を図示した概念図。
【符号の説明】
Ｒ１　Ａ／Ｖエンコーダ部
Ｒ２　データセクタ化部
Ｒ３　主情報スクランブル処理部
Ｒ４、Ｐ２　第一切換部
Ｒ５　１６データセクタ化部
Ｒ６　ＥＣＣ生成付加部
Ｒ７、Ｐ７　第二切換部
Ｒ８　第一変調器
Ｒ９　第二変調器
Ｒ１０　第三切換部
Ｒ１１　記録ドライブ
Ｒ１２　ＣＰ−Ｄａｔａ生成部
Ｒ１３、Ｒ５１、Ｒ５５　乱数発生装置
Ｒ１４、Ｐ１１　演算処理部
Ｒ１５　ＣＰ−Ｄａｔａ・ＰＯ生成部
Ｐ１　チャネルビットリード部
Ｐ３　第一復調器
Ｐ４　第二復調器
Ｐ５　ＥＣＣブロック化部
Ｐ６　ＥＣＣ訂正部
Ｐ８　主情報デスクランブル処理部
Ｐ９　Ａ／Ｖデコーダ部
Ｐ１０　ＣＰ−Ｄａｔａ訂正部
Ｒ５２、Ｒ５７、Ｒ５９　暗号化部
Ｒ５３、Ｒ６０、Ｐ５３、Ｐ５６　ＤＫＢ処理部
Ｒ５４、Ｐ５２　バス認証部
Ｒ５６　ＭＭ・ＰＯ生成付加部
Ｒ５８　ＭＭ付加部
Ｐ５１、Ｐ５４、Ｐ５５　復号化部
Ｒ１００、Ｒ１１０　特定情報信号記録システム
Ｐ１００、Ｐ１１０　特定情報信号再生システム
Ｒ１０１　Ａ／Ｖエンコーダモジュール部
Ｒ１０２、Ｒ１０３　記録ドライブ部
Ｐ１０１、Ｐ１０３　再生ドライブ部
Ｐ１０２　Ａ／Ｖデコーダモジュール部
Ｍ１記録媒体
【図１】
2004095121.tif 000003
【図２】
2004095121.tif 000004
【図３】
2004095121.tif 000005
【図４】
2004095121.tif 000006
【図５】
2004095121.tif 000007
【図６】
2004095121.tif 000008
【図７】
2004095121.tif 000009
【図８】
2004095121.tif 000010
【図９】
2004095121.tif 000011
【図１０】
2004095121.tif 000012
【図１１】
2004095121.tif 000013
【図１２】
2004095121.tif 000014
【図１３】
2004095121.tif 000015
【図１４】
2004095121.tif 000016